(57)【要約】【課題】  異物の捕集率を良好に維持しつつ圧力損失の上昇を可及的に抑制し得るフィルターを提供する。【解決手段】  第１の方向Ｙに伸びるとともに第１の方向Ｙに直交する第２の方向Ｘにおいて所定の間隔をあけて平行に配設されるとともに、所定の圧力の作用で塑性変形する材料で形成された複数の縦線５１Ａ〜５１Ｆと、各縦線５１Ａ〜５１Ｆの一方側およびその反対側である他方側に接触するよう一方側から他方側および前記他方側から一方側へと第２の方向Ｘに沿い蛇行させてメッシュ面を形成するとともに、所定の圧力の作用で塑性変形する材料で形成された複数の横線５２Ａ〜５２Ｆとを有するフィルター１６であって、横線５２Ａ〜５２Ｆは縦線５１Ａ〜５１Ｆを３本飛ばしながら前記メッシュ面を形成するとともに、前記メッシュ面には所定の圧力を作用させて全体を圧延した。【選択図】  図５
2015128739.tif 000002
【特許請求の範囲】
【請求項１】
第１の方向に伸びるとともに前記第１の方向に直交する第２の方向において所定の間隔をあけて平行に配設されるとともに、所定の圧力の作用で塑性変形する材料で形成された複数の縦線と、
前記第１の方向および第２の方向に直交する第３の方向における前記各縦線の一方側またはその反対側である他方側で前記縦線に接触し、かつ前記一方側から前記他方側へと蛇行してメッシュ面を形成するとともに、所定の圧力の作用で塑性変形する材料で形成された複数の横線とを有するフィルターであって、
前記横線は前記縦線を３本以上飛ばしながら前記メッシュ面を形成するとともに、
前記メッシュ面には所定の圧力を作用させて全体を圧延したことを特徴とするフィルター。
【請求項２】
請求項１に記載するフィルターにおいて、
前記横線は、前記縦線を３本飛ばしで交互に蛇行させたことを特徴とするフィルター。
【請求項３】
請求項１または請求項２に記載するフィルターにおいて、
前記横線および縦線は、金属線であることを特徴とするフィルター。
【請求項４】
請求項１〜請求項３の何れか一項に記載するフィルターにおいて、
前記メッシュ面は綾畳織で形成したことを特徴とするフィルター。
【請求項５】
請求項１〜請求項４の何れか一項に記載するフィルターを具備することを特徴とする液体噴射ヘッド。
【請求項６】
請求項５に記載する液体噴射ヘッドを具備することを特徴とする液体噴射装置。
【発明の詳細な説明】
【技術分野】
【０００１】
本発明はフィルター、液体噴射ヘッドおよび液体噴射装置に関し、特に金属線を綾畳織したフィルターに適用して有用なものである。
【背景技術】
【０００２】
液体噴射装置は種々な液体を噴射するもので、中でも広く使用されているものに、インクジェット式記録装置がある。インクジェット式記録装置は、複数のノズル開口から液体であるインク滴を吐出するインク噴射ヘッドを備えている。このインク噴射ヘッドによりインク滴を媒体である記録紙等の表面に着弾させて画像や文字を印刷するようになっている。
【０００３】
そして、インク噴射ヘッド内に設けられたインクの供給流路には、インク内に混入した異物、すなわち、何らかの原因で供給流路内に残留している合成樹脂等の微細片や気泡を取り除くためのフィルターが配置されている。このフィルターの一種として細い線径の金属線を、ミクロン単位の異物も捕集し得るように特殊な形に織り込んだ綾畳織の金属フィルターが知られている。
【０００４】
図７は従来技術に係る綾畳織のフィルターの一部を示す斜視図である。同図（ａ）に示すように、当該フィルター０１は、所定の間隔をあけて平行に配設され、例えばＳＵＳ等の金属線で形成した縦線０２に対し、同様にＳＵＳ等を用いた金属線で形成した横線０３を、各縦線０２の一方側（下側）およびその反対側である他方側（上側）に接触するように交互に蛇行させてミクロンオーダーの微細なメッシュ構造を形成したものである。ここで、従来技術に係るこの種のフィルターにおいては、横線０３は縦線０２を２本飛ばしで蛇行させている（例えば特許文献１参照）。
【０００５】
さらに、特許文献１に開示するフィルター０１では、図７（ｂ）に示すように、綾畳織した金属細線である横線０３にレーザー光を照射してメッシュの表面を溶融させている。このことにより、元の開口部の周縁から張り出すような庇状の張出部０４を形成して元の開口部が絞られた新たな開口部を形成することで異物の捕集の向上を図っている。
【先行技術文献】
【特許文献】
【０００６】
【特許文献１】特開２０１２−１３９６１１号公報
【発明の概要】
【発明が解決しようとする課題】
【０００７】
上述の如く特許文献１に開示する綾畳織のフィルターにおいては、横線となる横線０３を２本飛ばしでメッシュ構造を形成しているので、メッシュはミクロンオーダーにまで小さくすることができ、捕集率も良好なものとすることができるが、一般に捕集率とトレードオフの関係にある圧力損失が大きくなる。
【０００８】
また、捕集率を向上させるため、フィルター素材である横線０３にレーザー光を照射してメッシュ構造の表面を溶融させた場合には、メッシュ面を形成する横線０３が切れ易いという新たな問題も発生する。
かかる問題はインクジェット式記録ヘッド等の液体噴射ヘッドに搭載されるフィルターに限定されず、他の装置に搭載されるフィルターにおいても同様に存在する。
【０００９】
本発明は、上記従来技術の問題点に鑑み、異物の捕集率を良好に維持しつつ圧力損失の上昇を可及的に抑制し得るフィルター、液体噴射ヘッドおよび液体噴射装置を提供することを目的とする。
【課題を解決するための手段】
【００１０】
上記目的を達成する本発明の態様は、第１の方向に伸び、かつ前記第１の方向に直交する第２の方向において所定の間隔をあけて平行に配設されるとともに、所定の圧力の作用で塑性変形する材料で形成された複数の縦線と、前記第１の方向および第２の方向に直交する第３の方向における前記各縦線の一方側またはその反対側である他方側で前記縦線に接触し、かつ前記一方側から前記他方側へと蛇行してメッシュ面を形成するとともに、所定の圧力の作用で塑性変形する材料で形成された複数の横線とを有するフィルターであって、前記横線は前記縦線を３本以上飛ばしながら蛇行して前記メッシュ面を形成するとともに、前記メッシュ面には所定の圧力を作用させて全体を圧延したことを特徴とするフィルターにある。
本態様によれば、横線は縦線を３本以上飛ばしながらメッシュ面を形成するようにしたので、横線と縦線との間で形成される第１の方向に沿う開口の大きさが大きいものが２回以上続いた後に小さいものが続き、また大きいものが２回以上続いた後に小さいものが続くいというように繰り返されるので、第１の方向で見た直列な流路抵抗は、開口の大きさが大きいもの、および小さいものが交互に連なる場合よりも大きくなる。したがって、圧力損失は小さくなる。ちなみに、従来の綾畳織のフィルターでは、横線が縦線を２本飛ばしでメッシュ面を形成しているので、前記開口の大きさは、大きいもの、および小さいものが交互に繰り返される構造となっている。
このように、横線が飛ばす縦線の数が増える程、圧力損出は低減することができるが、メッシュ面の網目は粗くなる。本態様では、粗くなったメッシュ面を圧延することで縦線と横線との間の開口を潰して捕集率の向上を図っている。すなわち、横線が飛ばす縦線の数の選択により圧力損出を抑制し、圧延により縦線と横線との間の開口を潰して捕集率の向上を図ることにより、本質的にはトレードオフの関係にある圧力損出と捕集率との関係を適切に調整して異物の捕集率を良好に維持しつつ圧力損失の上昇を可及的に抑制し得る。
【００１１】
ここで、前記横線は、前記縦線を３本飛ばしで交互に蛇行させるのが望ましい。この場合には、圧力損失を抑制することができると同時に、メッシュ面の網目の粗さは最小限度に止めることができるからである。
【００１２】
また、前記横線および縦線は、金属線であることが望ましい。適当な強度を有するばかりでなく容易かつ適切に塑性変形させることができるからである。さらに、前記メッシュ面は綾畳織で形成するのが望ましい。ミクロンオーダーの異物を捕集するフィルターを容易に形成することができるからである。
【００１３】
本発明の他の態様は、上述の如きフィルターを具備することを特徴とする液体噴射ヘッドにある。
本態様によれば、良好に異物を捕集し得ると同時に異物捕集のための圧力損失を可及的に抑制し得るフィルターを有するので、液体の噴射性能を低下させることなく、異物によるノズルの目詰まりを良好に防止し得る。
【００１４】
本発明の他の態様は、上記液体噴射ヘッドを具備することを特徴とする液体噴射装置にある。
本態様によれば、液体の噴射性能を低下させることなく、異物によるノズルの目詰まりを良好に防止し得る液体噴射ヘッドにより、高品質の印刷を実現し得る。
【図面の簡単な説明】
【００１５】
【図１】本発明の実施の形態に係る記録装置の概略構成を示す斜視図である。
【図２】本発明の実施の形態に係る記録ヘッドの分解斜視図である。
【図３】本発明の実施の形態に係る記録ヘッドの断面図である。
【図４】実施の形態に係るフィルターの織構造を模式的に示す説明図である。
【図５】実施の形態に係る縦糸と横糸との位置関係を模式的に示す説明図である。
【図６】従来技術に係る縦糸と横糸との位置関係を模式的に示す説明図である。
【図７】従来技術に係るフィルターを示す斜視図である。
【発明を実施するための形態】
【００１６】
以下本発明の実施の形態を図面に基づき詳細に説明する。
図１は本発明の実施の形態に係る液体噴射装置の一例であるインクジェット式記録装置を示す概略斜視図である。当該インクジェット式記録ヘッドは、本発明の実施の形態に係るフィルターの製造方法により製造したフィルターを具備している。
【００１７】
図１に示すように、本形態の液体噴射装置であるインクジェット式記録装置１は、例えば、ブラック（Ｂ）、シアン（Ｃ）、マゼンダ（Ｍ）、イエロー（Ｙ）等の複数の異なる色のインクが貯留される貯留室を有するインクカートリッジ（液体貯留手段）２が装着されたインクジェット式記録ヘッド１０（以下、記録ヘッド）を具備する。記録ヘッド１０はキャリッジ３に搭載されており、記録ヘッド１０が搭載されたキャリッジ３は、装置本体４に取り付けられたキャリッジ軸５に軸方向移動自在に設けられている。そして、駆動モーター６の駆動力が図示しない複数の歯車およびタイミングベルト７を介してキャリッジ３に伝達されることで、ヘッドユニット１を搭載したキャリッジ３はキャリッジ軸５に沿って移動される。一方、装置本体４には搬送手段としての搬送ローラー８が設けられており、紙等の記録媒体である記録シートＳが搬送ローラー８により搬送されるようになっている。なお、記録シートＳを搬送する搬送手段は、搬送ローラーに限られずベルトやドラム等であってもよい。
【００１８】
次に、本形態に係る記録ヘッド１０について説明する。なお、図２は、本形態に係る記録ヘッドの分解斜視図であり、図３はその断面図である。
図２及び図３に示すように、インクジェット式記録ヘッド１０を構成するヘッドホルダーの一例であるカートリッジケース１１は、上述したインクカートリッジ（図示なし）が装着されるカートリッジ装着部１２を有する。例えば、本実施形態では、このカートリッジ装着部１２に、ブラックインク及び複数色のカラーインクが充填された各インクカートリッジがそれぞれ装着されるようになっている。また、カートリッジケース１１の底面には、一端が各カートリッジ装着部１２に開口し、他端が後述するヘッドケース側に開口する複数のインク連通路（第１の液体流路）１３がそれぞれ形成された管状の流路形成部１４が突設されている（図３参照）。
【００１９】
カートリッジケース１１の上面側、すなわち、カートリッジ装着部１２のインク連通路１３の開口部分には、インクカートリッジに挿入される複数のインク供給針１５が、インク内の気泡や異物を除去するためのフィルター１６を介して固定されている。
【００２０】
カートリッジケース１１の下面側には、シール部材１７及び回路基板１８を挟んで、ヘッド部材１９が固定されている。本形態に係るヘッド部材１９は、複数の圧電素子を有する圧電素子ユニット２０を収容するための中空箱体状の部材であるヘッドケース２１と、このヘッドケース２１のカートリッジケース１１とは反対側の端面に固定されるヘッド本体２２とで構成されている。ヘッド本体２２は、複数のノズル２３が穿設されたノズルプレート２４と、ノズル２３に連通する圧力発生室２５を含む流路が形成された流路形成基板２６と、流路形成基板２６のノズルプレート２４とは反対面側に配される振動板２７とで構成されている。これらノズルプレート２４及び振動板２７と流路形成基板２６とはそれぞれ接着剤によって接合されている。またヘッドケース２１には、一端側が圧力発生室２５に連通すると共に他端側がカートリッジケース１１のインク連通路１３に連通するインク供給路２８が設けられている。インク連通路１３とインク供給路２８との接続部分は、シール部材１７によって密封されている。
【００２１】
このようにカートリッジケース１１の下面側に、シール部材１７、回路基板１８、ヘッド部材１９を構成するヘッドケース２１及びヘッド本体２２の順で配し、これら各部材の外側にヘッド本体２２のノズル２３を露出する窓部２９を有する枠体３０をはめ込み、ネジ３１によってカートリッジケース１１に固定することで、インクジェット式記録ヘッド１０が形成される。
【００２２】
上述した記録ヘッド１０に設けられたフィルター１６について詳細に説明する。図４は本形態に係るフィルターの織構造を模式的に示す説明図で、（ａ）が第３の方向Ｚから見た説明図、（ｂ）が圧延する前のフィルター１６を（ａ）のＸ−Ｘ′線方向に見た説明図、（ｃ）が圧延した後のフィルター１６を（ｂ）と同様の方向（Ｘ−Ｘ′線方向）で見た説明図である。
【００２３】
これらの図に示すように、本形態に係るフィルター１６は、例えばＳＵＳ等の金属細線である縦線５１に対して同様の金属細線である横線５２を編み込んだ綾畳織のフィルター面を有するものである。さらに詳言すると、縦線５１は第１の方向Ｙに伸びるとともに第１の方向Ｙに直交する第２の方向Ｘにおいて所定の間隔をあけて平行に配設されている。横線５２は、第１の方向Ｙおよび第２の方向Ｘに直交する第３の方向Ｚの一方側であるＺ１側（図４（ｂ）、（ｃ）中の下側、以下同じ）またはその反対の他方側であるＺ２側（図４（ｂ）、（ｃ）中の上側、以下同じ）に接触するようＺ１側からＺ２側およびＺ２側からＺ１側へと蛇行させて綾畳織されている。この結果、ミクロンオーダーのメッシュを有するフィルター１６が形成される。
【００２４】
ここで、縦線５１の径は横線５２の径よりも大きく、また隣接する縦線５１間のピッチは、隣接する横線５２間のピッチよりも大きく形成してある。さらに、横線５２は縦線５１に対して若干傾斜させて編んである。この場合の横線５２の伸びる方向を第４の方向Ｘａとする。また、本形態における横線５２は、縦線５１を３本飛ばしながらメッシュ面を形成している。この際、第１の方向Ｙで隣接する横線５２は、縦線５１に当接してＺ１側からＺ２側に向かう位置を、第４の方向Ｘａに関して隣接する縦線５１にＸａ１側からＸａ２側へ順次移動させてある。したがって、縦線５１に対する横線５２の位置関係が、縦線５１の６本毎に繰り返されてメッシュ面が形成されている。すなわち、縦線５１の６本と、横線５２の６本の組み合わせで形成される６種類のグループでメッシュ面が形成されている。かかる位置関係を含む織の具体的な構造に関しては、後に詳述する。
【００２５】
本形態に係るフィルター１６において、上述の如き編みの結果形成される図４（ｂ）に示すような構造のメッシュ面には所定の圧力を作用させて圧延することにより図４（ｃ）に示すように潰してある。この結果、縦線５１と横線５２とで形成する両者間の開口５３を小さくすることができる。フィルター１６として機能させる場合の異物の捕集率は開口５３の大きさに依存し、小さい程、大きな捕集率とすることができる。
【００２６】
一般に横線５２が飛ばす縦線５１の数が増える程、メッシュの網目は粗くなるが、上述の如く、粗くなったメッシュ面を圧延することで縦線５１と横線５２との間の開口を潰せば捕集率の向上を図ることができる。
【００２７】
図５は縦糸と横糸との位置関係を、本形態に係るフィルターの織構造との関係において模式的に示す説明図である。同図に示すように、番号５１にＡ〜Ｆの符号を組み合わせて横線５２のＺ１側（図５中の下側、以下同じ）からＺ２側（図５中の上側、以下同じ）への変更位置を基準にグループ分けされる縦線５１Ａ，５１Ｂ，５１Ｃ，５１Ｄ，５１Ｅ，５１Ｆと、それぞれのグループに対応する横線５２を横線５２Ａ，５２Ｂ，５２Ｃ，５２Ｄ，５２Ｅ，５２Ｆとして示してある。図５に示すように、横線５２Ａは、縦線５１Ａの図中右側で第３の方向ＺのＺ１側からＺ２側に方向を変え、Ｚ２側で、第４の方向Ｘａに沿いＸａ１側からＸａ２側に向かって３本の縦線５１Ａ，５１Ｂ，５１Ｃに順次接触した後、縦線５１Ｃの図中左側で第３の方向ＺのＺ２側からＺ１側に方向を変え、Ｚ１側で、第４の方向Ｘａに沿いＸａ１側からＸａ２側に向かって３本の縦線５１Ｄ，５１Ｅ，５１Ｆに順次接触し、その後縦線５１Ｆの図中左側で第３の方向ＺのＺ１側からＺ２側に方向を変えて同様の蛇行を繰り返す。すなわち、縦線５１Ａ〜５１Ｆの３本毎に同様の状態が繰り返される。
【００２８】
横線５２Ｂは、第４の方向ＸａのＸａ１側からＸａ２側に、縦線５１Ａを縦線５１Ｂへと一本ずらして同様の状態を繰り返す。以下、横線５２Ｃ〜５２Ｆは、縦線５１Ｃ〜５１ＦをＸａ１側からＸａ２側に一本ずらして同様の状態を繰り返す。かくして６本の縦線５１Ａ〜５１Ｆ毎に同様のパターンが繰り返されて所定のメッシュが形成される。
【００２９】
かかる位置関係を有する本形態のフィルターによれば、横線は縦線を３本以上飛ばしながらメッシュ面を形成するようにしたので、横線５２Ａ〜５２Ｆと縦線５１Ａ〜５１Ｆとの間で形成される第１の方向Ｙに沿う開口の大きさが大きいものが２回以上続いた後に小さいものが続き、また大きいものが２回以上続いた後に小さいものが続くというように繰り返される。さらに詳言すると、縦線５１Ｂと縦線５１Ｃとの間で横線５２Ａ〜５２Ｆが形成する開口を考えると、図５中に（大），（大），（小），（大），（大），（小）の文字で示すように、縦線５１Ｂと縦線５１Ｃとの間で横線５２Ａが形成する開口は、Ｚ１側からＺ２側への横線５２Ａが存在しないので開口は（大）となり、この関係は横線５２Ｂに関しても同様であるが、縦線５１Ｂと縦線５１Ｃとの間で横線５２Ｃが形成する開口は、Ｚ１側からＺ２側への横線５２Ｃが存在するので開口は（小）となる。以降第１の方向Ｙに関してこの関係が繰り返される。
【００３０】
したがって、本形態に係るフィルター１６では、第１の方向Ｙで見た直列流路抵抗が、開口の大きさが大きいもの、および小さいものが交互に連なる場合よりも小さくなる。すなわち、圧力損失は小さくなる。ちなみに、従来の綾畳織のフィルターでは、横線が縦線を２本飛ばしでメッシュ面を形成しているので、前記開口の大きさは、大きいもの、および小さいものが交互に繰り返される構造となっている。
【００３１】
さらに詳言すると、従来の２本飛ばしのフィルターにおける縦線と横線の位置関係は図６に示すようになる。同図に示すように、この場合は、縦線５１Ａ，５１Ｂ，５１Ｃ，５１Ｄに対する横線５２Ａ，５２Ｂ，５２Ｃ，５２Ｄの位置関係は、４本毎に同様の状態が繰り返される。ここで、縦線５１Ｂと縦線５１Ｃとの間で横線５２Ａ〜５２Ｄが形成する開口を考えると、図６中に（小），（大），（小），（大）の文字で示すように、縦線５１Ｂと縦線５１Ｃとの間で横線５２Ａが形成する開口は、Ｚ１側からＺ２側への横線５２Ａが存在するので開口は（小）となり、縦線５１Ｂと縦線５１Ｃとの間で横線５２Ｂが形成する開口は、Ｚ１側からＺ２側への横線５２Ｃが存在しないので開口は（大）となる。以降第１の方向Ｙに関してこの関係が繰り返される。
【００３２】
このように、本態様によれば、横線５１Ａ〜５１Ｆは縦線５１Ａ〜５１Ｆを３本飛ばしながらメッシュ面を形成するようにしたので、横線５１Ａ〜５１Ｆと縦線５１Ａ〜５１Ｆとの間で形成される第１の方向Ｙに沿う開口の大きさが大きいものが２回続いた後に小さいものが続き、また大きいものが２回続いた後に小さいものが続くいというように繰り返されるので、第１の方向Ｙで見た直列流路抵抗は、開口の大きさが大きいもの、および小さいものが交互に連なる場合よりも小さくなる。したがって、圧力損失は小さくなる。一方、メッシュ面には所定の圧力を作用させて全体を圧延しているので、縦線５１Ａ〜５１Ｆと横線５２Ａ〜５２Ｆとの間の開口が潰され、結果として捕集率が向上する。したがって、異物の捕集率を良好に維持しつつ圧力損失の上昇を可及的に抑制し得る。
【００３３】
以上、本発明の実施の形態について説明したが、本発明に係る技術思想は上述したものに限定されるものではない。例えば、フィルター１６は金属細線で編んだが、これに限る必要はない。圧延時の押圧力により塑性変形するものであれば、それ以上の限定は必要ない。また、横糸を３本飛ばしに限定するものでもない。３本以上、本数が増える程、圧力損失を小さくすることはできるが、フィルターの目が粗くなるので、両者の兼ね合いを考慮して適宜決定すれば良い。
【００３４】
上述した実施の形態では、カートリッジケース１１とインク供給針１５との間に設けられたフィルター１６について説明したが、本発明のフィルターは、インクジェット式記録ヘッド１０に代表される液体噴射ヘッドに用いられるフィルターであれば、その設置場所等については特に限定されるものではない。もちろん、フィルター１６は、インクジェット式記録ヘッド１０以外に、インクジェット式記録装置１に代表される液体噴射装置に搭載されるものであってもよい。液体噴射装置に搭載されるフィルターとしては、例えば、インク等の液体を貯留する貯留タンクなどの貯留手段が、キャリッジ３に搭載されず、装置本体４に固定されるものにおいて、貯留手段とインクジェット式記録ヘッド１０との間に設けられたフィルターなどであってもよい。
【００３５】
上述した実施の形態では金網フィルターとして綾畳織のフィルター１６について説明したが、綾畳織に限定するものでもない。縦線と横線とを組み合わせてメッシュ構造を形成するものであれば、それ以上の限定はない。例えば、平畳織りのフィルターでも良い。
【００３６】
上述したインクジェット式記録装置１としては、インクジェット式記録ヘッド１０がキャリッジ３に搭載されて主走査方向に移動するものを例示したが、特にこれに限定する必要はない。例えば、インクジェット式記録ヘッド１０が固定されて、紙等の被記録媒体Ｓを副走査方向に移動させるだけで印刷を行う、所謂ライン式記録装置にも本発明を適用することができる。
【００３７】
また、本発明は、広く液体噴射ヘッド全般を対象としたものであり、例えば、プリンター等の画像記録装置に用いられる各種のインクジェット式記録ヘッド等の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等にも適用することができる。
さらに、本発明は、インクジェット式記録ヘッドに代表される液体噴射ヘッドに搭載されるフィルターの製造方法に限られず、他の装置に搭載されるフィルターの製造方法にも適用することができる。
【符号の説明】
【００３８】
１  インクジェット式記録装置、  １６  フィルター、  ５１，５１Ａ〜５１Ｆ  縦線、  ５２，５２Ａ〜５２Ｆ  横線
【図１】
2015128739.tif 000003
【図２】
2015128739.tif 000004
【図３】
2015128739.tif 000005
【図４】
2015128739.tif 000006
【図５】
2015128739.tif 000007
【図６】
2015128739.tif 000008
【図７】
2015128739.tif 000009